(57)【特許請求の範囲】
【請求項１】
記録媒体が収納されるカートリッジが挿入されるホルダと、前記記録媒体が前記ホルダ内に挿入される過程で挿入方向に回動しながら前記カートリッジのシャッタを開くレバーと、前記カートリッジの挿入動作により前記ホルダを前記記録媒体装着位置へ移動させる摺動部材とを有する記録媒体装着装置において、
前記ホルダに前記カートリッジのシャッタの開閉動作を減速させるように摺接する摺接部材を設けたことを特徴とする記録媒体装着装置。
【発明の詳細な説明】
【０００１】
【発明の属する技術分野】
本発明は記録媒体装着装置に係り、特に記録媒体が収容されたカートリッジのシャッタを開いて記録又は再生を可能とする記録媒体装着装置に関する。
【０００２】
【従来の技術】
例えば、パーソナルコンピュータあるいはワードプロセッサ等の電子装置では、情報を記録させる手段として磁気ディスク装置が装備されている。この種の磁気ディスク装置では、ディスクカートリッジが装着されると、磁気ヘッドが摺接するための開口を塞ぐシャッタが開いてディスクカートリッジ内に収容された磁気ディスクが回転駆動されると共に、磁気ヘッドが磁気ディスクに摺接して磁気記録再生を行うよう構成されている。
【０００３】
また、上記磁気ディスク装置においては、ディスクカートリッジが挿入されるディスクホルダと、ディスクカートリッジの挿入操作により摺動してディスクホルダをカートリッジ挿入・イジェクト位置からカートリッジ装着位置へ移動させるスライダとからなる記録媒体装着装置が組み込まれている。
スライダは、コイルバネ等により一方向に付勢されており、ディスクカートリッジが挿入されるとラッチレバーがディスクカートリッジの端部に押圧されて回動するとともにラッチレバーによるスライダの掛止が解除される。これにより、スライダは付勢方向に摺動してディスクホルダをカートリッジ装着位置へ移動させる。その際、ディスクホルダは、カートリッジ挿入・イジェクト位置からカートリッジ装着位置に降下することにより、ディスクカートリッジ内のディスクをターンテーブル上にチャッキングさせることになる。
【０００４】
また、上記ラッチレバーは、ディスクカートリッジのシャッタを開閉するシャッタ開閉レバーとしても機能するように設けられている。すなわち、ラッチレバーは、先端部分にディスクカートリッジのシャッタの側部に係合する係合爪を有し、ディスクカートリッジの挿入動作と共に回動して係合爪がシャッタを開方向に押圧する。
【０００５】
そして、イジェクト操作によりスライダがイジェクト方向に移動すると、ラッチレバーの掛止が解除されると共に、ホルダをカートリッジ挿入・イジェクト位置へ上昇させた後、ラッチレバーがバネ力により回動してディスクカートリッジのシャッタを閉じながらディスクカートリッジをホルダ内よりイジェクト方向に押し出す。また、ディスクカートリッジのシャッタは、バネ部材により閉じる方向に付勢されており、ラッチレバーがイジェクト方向に回動するのに追従して閉じ方向に摺動する。
【０００６】
【発明が解決しようとする課題】
ところが、上記のような記録媒体装着装置においては、ディスクカートリッジがホルダに挿入される過程でラッチレバーを回動させることによりディスクカートリッジのシャッタがラッチレバーの係合爪に押圧されて側方に開くようになっているため、例えばディスクカートリッジが強い力で挿入された場合、シャッタが勢い良くラッチレバーの係合爪に衝突して開方向に摺動した後、その反動でシャッタが勢い良く閉じる方向に戻ってしまうことがある。
【０００７】
その場合、従来の記録媒体装着装置では、シャッタがバネ力により加速されて閉じる方向に移動するため、ラッチレバーの係合爪を乗り越えてしまい、さらに閉じる方向に摺動して磁気ヘッドを挟んでしまうおそれがあった。
そこで、本発明は上記問題を解決した記録媒体装着装置を提供することを目的とする。
【０００８】
【課題を解決するための手段】
上記課題を解決するため、本発明は以下のような特徴を有する。
本発明は、記録媒体が収納されるカートリッジが挿入されるホルダと、前記記録媒体が前記ホルダ内に挿入される過程で挿入方向に回動しながら前記カートリッジのシャッタを開くレバーと、前記カートリッジの挿入動作により前記ホルダを前記記録媒体装着位置へ移動させる摺動部材とを有する記録媒体装着装置において、
前記ホルダに前記カートリッジのシャッタの開閉動作を減速させるように摺接する摺接部材を設けたことを特徴とするものである。
【０００９】
従って、本発明によれば、ホルダにカートリッジのシャッタの開閉動作を減速させるように摺接する摺接部材を設けたため、カートリッジが勢い良くホルダ内に挿入された場合でもカートリッジのシャッタが摺接部材に摺接して摩擦抵抗を受けることになり、シャッタの開閉動作を減速してシャッタを確実に開閉動作させることができる。
【００１０】
【発明の実施の形態】
以下図面と共に本発明になる記録媒体装着装置の実施の形態について説明する。
図１は本発明になる記録媒体装着装置の一実施例が適用された磁気ディスク装置１１の概略構成を示す分解斜視図である。また、図２はカバー、スライダ、ホルダ、フレームを拡大して示す分解斜視図である。また、図３（Ａ）〜（Ｃ）はスライダとホルダとを組み合わせた状態を示す平面図、背面図、側面図である。
【００１１】
図１乃至図３に示されるように、磁気ディスク装置１１は、ディスクカートリッジ（図示せず）が挿入されるディスクホルダ１２と、前後方向に摺動してディスクホルダ１２を昇降させるスライダ１３とが重ね合わせた状態でフレーム１４上に取り付けられる。
スライダ１３はディスクホルダ１２上をＡ，Ｂ方向に摺動自在に設けられ、ディスクカートリッジの挿入操作によりＡ方向に摺動してディスクホルダ１２をカートリッジ挿入・イジェクト位置からカートリッジ装着位置へ降下させる。
【００１２】
ディスクホルダ１２は、天板１２ａと、天板１２ａの両側からディスクカートリッジを抱え込むように折曲されたカートリッジガイド部１２ｂ，１２ｃとからなる。従って、天板１２ａと両側のカートリッジガイド部１２ｂ，１２ｃに囲まれた空間がカートリッジ挿入部となる。また、ディスクホルダ１２の天板１２ａには、ヘッドキャリッジ１８が移動するため開口１２ｄが設けられ、開口１２ｄの左側にはリフトアーム４２を回動可能に支持する一対の支持部１２ｈが切り起こされている。また、天板１２ａの中央に設けられた開口１２ｄの輪郭を形成する切り起こし部分には、ディスクカートリッジ挿入前の撓みを防止するため、スライダ１３に係合するための嵌合孔１２ｇが設けられている。
【００１３】
さらに、ディスクホルダ１２の天板１２ａの下面には、後述するディスクカートリッジのシャッタに摺接してディスクホルダ１２内に挿入される際のシャッタの開閉速度を減速するシャッタ減速部材（摺接部材）１０が取り付けられている。これにより、ディスクカートリッジ２９（図７参照）が強い力で挿入されたときの衝撃でシャッタが急激に開閉動作することを防止できる。
【００１４】
また、ディスクホルダ１２の天板１２ａには、シャッタ減速部材１０を掛止する一対の切り起こし１２ｑと、シャッタ減速部材１０の取付位置を位置決めする一対の位置決めピン１２ｒとが設けられている。
スライダ１３は、ディスクホルダ１２の上方で摺動する平板１３ａと、平板１３ａの両側より下方に折曲された側面１３ｂ，１３ｃと、側面１３ｂ，１３ｃに設けられディスクホルダ１２の係合ピン１２ｅが嵌合する傾斜溝１３ｄと、フレーム１４の両側面１４ｅ，１４ｆの上端に当接する当接部１３ｅと、イジェクト動作によりディスクホルダ１２の天板１２ａの中央部に設けられた嵌合孔１２ｇに係合する係合部１３ｆとを有する。
【００１５】
そのため、本実施例では、ディスクホルダ１２の嵌合孔１２ｇとスライダ１３の係合部１３ｆとにより、ディスクカートリッジ挿入によりディスクカートリッジ前端が下側磁気ヘッドに衝突することを防止するディスクカートリッジ当接防止機構が構成されている。
そして、スライダ１３の平板１３ａには、スライダ１３をＡ方向に付勢するコイルバネ５１，５２が装架される開口１３ｇ，１３ｈが設けられている。この開口１３ｇ，１３ｈは、Ａ，Ｂ方向に延在形成されており、Ｂ方向の端部にコイルバネ５１，５２の一端が掛止される掛止部１３ｉ，１３ｊが突出している。尚、コイルバネ５１，５２の他端は、ディスクホルダ１２の天板１２ａに突出する掛止部１２ｉ，１２ｊに掛止される。そのため、スライダ１３は、コイルバネ５１，５２のバネ力によりＡ方向に付勢されている。
【００１６】
図４（Ａ）はシャッタ減速部材１０の構成を示す平面図である。また、図４（Ｂ）はシャッタ減速部材１０の構成を示す側面図である。
図４（Ａ）（Ｂ）に示されるように、シャッタ減速部材１０は、板バネにより形成されており、ディスクホルダ１２の天板１２ａの下面に取り付けられる平板部１０ａと、平板部１０ａの一端より所定角度αで傾斜した方向に延在され、且つディスクホルダ１２の天板１２ａから離間するように角度βで傾斜する摺接部１０ｂと、平板部１０ａの他端より延在し、天板１２ａの下面を押圧するように突出する一対の押圧部１０ｃとを有する。
【００１７】
また、平板部１０ａには、ディスクホルダ１２の天板１２ａに設けられた取付孔１２ｑと係合する係合部１０ｄと、制作時の位置決めピン（図示せず）が嵌合する一対の孔１０ｅとが設けられている。さらに、平板部１０ａの両側には、Ａ，Ｂ方向に延在する一対の腕部１０ｆが設けられている。この腕部１０ｆは、先端部分が９０°の角度で折曲されており、後述するように取付位置を規制すると共にシャッタ減速部材１０が左右方向に傾かないように保持している。
【００１８】
図５はシャッタ減速部材１０が取り付けられるディスクホルダ１２の天板１２ａを示す斜視図である。
図５及び図３（Ａ）に示されるように、シャッタ減速部材１０が取り付けられるディスクホルダ１２の天板１２ａの下面側には、シャッタ減速部材１０の取付部１２Ａ（図５中、破線で示す）が設けられている。この取付部１２Ａには、上記シャッタ減速部材１０の押圧部１０ｃ及び係合部１０ｄが係合する取付孔１２ｑが設けられており、且つ左右両側の腕部１０ｆも取付孔１２ｑに係合するようになっている。
【００１９】
図６はシャッタ減速部材１０がディスクホルダ１２の天板１２ａに取り付けられた状態を拡大して示す斜視図である。
図６に示されるように、シャッタ減速部材１０は、係合部１０ｄ及び腕部１０ｆがディスクホルダ１２の天板１２ａに設けられた取付孔１２ｑに係合した状態で押圧部１０ｃが取付孔１２ｑに係合しながらＡ方向に押圧する。そのため、シャッタ減速部材１０は、ねじ等の締結部材を使用せずにディスクホルダ１２の天板１２ａに取り付けられる。そして、シャッタ減速部材１０の摺接部１０ｂは、ディスクホルダ１２の天板１２ａから角度βで傾斜した状態で延在する。
【００２０】
このように、シャッタ減速部材１０は、ディスクホルダ１２の天板１２ａに取り付けられると、摺接部１０ｂがディスクホルダ１２の内部に傾斜して延在すると共に、摺接部１０ｂの延在方向がディスクカートリッジ２９のシャッタ２９ｂの移動方向に向かって延在するように形成されている。
図７はディスクカートリッジを示す斜視図である。
【００２１】
図７に示されるように、ディスクカートリッジ２９は、内部に磁気ディスク（図示せず）が収容されており、前端側にヘッド挿入用開口２９ａを開閉するシャッタ２９ｃがＣ，Ｄ方向に摺動可能に設けられている。このシャッタ２９ｃは、ヘッド挿入用開口２９ａを開とする開口２９ｄを有し、内蔵されたバネ部材（図示せず）によりＤ方向に付勢されている。そして、シャッタ２９ｃが後述するラッチレバー３８の先端によりＣ方向に移動すると、開口２９ｄがヘッド挿入用開口２９ａと一致する開位置に移動して磁気ヘッド１６，１７が磁気ディスクに摺接して記録再生が行なえる。
【００２２】
また、ディスクカートリッジ２９の挿入方向の前端角部には、挿入方向を検出させるための傾斜部２９ｅが設けられ、ディスクカートリッジ２９の挿入方向の前端にはラッチレバー３８の先端に設けられた爪部３８ｂが嵌合するための凹部２９ｆが設けられている。
図８（Ａ）はフレーム１４の構成を示す平面図である。また、図８（Ｂ）はフレーム１４の構成を示す背面図である。
【００２３】
図８（Ａ）（Ｂ）に示されるように、また、フレーム１４の平面１４ａ上には、ディスクをクランプするターンテーブル１５が挿入される円形の開口１４ｂと、磁気ヘッド１６，１７を支持するヘッドキャリッジ１８がＡ，Ｂ方向に摺動可能に取り付けられるキャリッジ取付部１４ｃとが設けられている。また、フレーム１４の後部には、ヘッドキャリッジ１８を駆動するモータ２５が取り付けられるモータ取付部１４ｄが設けられている。
【００２４】
そして、キャリッジ取付部１４ｃ及びモータ取付部１４ｄの両側は、矩形状にカットされている。そのため、フレーム１４の後部は、キャリッジ取付部１４ｃ及びモータ取付部１４ｄのみが後方に突出した形状となっている。
また、フレーム１４の両側面１４ｅ，１４ｆの内壁の中間位置には、ディスクホルダ１２の昇降動作をガイドするガイド溝１４ｇ，１４ｈが設けられている。さらに、フレーム１４の下面側には、ターンテーブル１５及びターンテーブル１５を回転駆動するディスクモータ１９が搭載された回路基板２０が取り付けられる。
【００２５】
ここで、図１に戻って説明する。
ヘッドキャリッジ１８は、先端上面に下側磁気ヘッド１６を支持するキャリッジ本体２１と、先端下面に上側磁気ヘッド１７を支持しキャリッジ本体２１に対し回動可能に取り付けられたヘッドアーム２２とを有する。
また、ヘッドキャリッジ１８は、前後方向（Ａ，Ｂ方向）に延在するガイドシャフト２３及びリードスクリュウ２４にガイドされながらリードスクリュウ２４の回転方向に応じた方向へリードスクリュウ２４の回転量に応じた距離だけ移動する。ガイドシャフト２３は、フレーム１４の平面１４ａ上に板状の押さえ部材（図示せず）により保持されると共に、キャリッジ本体２１の右側面に設けられた嵌合部２１ａに挿通される。また、リードスクリュウ２４は、キャリッジ本体２１の反対側の左側面に設けられた螺合部（図示せず）に螺合されている。
【００２６】
そして、リードスクリュウ２４を回転駆動するモータ２５は、フレーム１４の後部に設けられたモータ取付部１４ｄの下面に取り付けられる。そのため、ヘッドキャリッジ１８は、リードスクリュウ２４を回転駆動するモータ２５の回転駆動力によりガイドシャフト２１及びガイドシャフト２４にガイドされてＡ，Ｂ方向に移動する。これにより、ヘッドキャリッジ１８に支持された磁気ヘッド１６，１７は、ディスクカートリッジ内に収納された磁気ディスク（図示せず）の所望とするトラックに摺接させて磁気記録・再生を行うことができる。
【００２７】
また、フレーム１４の平面１４ａ上には、ディスクホルダ１２に挿入されたディスクカートリッジの端部が下側磁気ヘッド１６に衝突することを防止するプロテクタ２６が平面１４ａ上に突出するピン１４ｉにガイドされてＣ，Ｄ方向に摺動可能に設けられている。このプロテクタ２６は、Ｌ字状のリンク２７の一端に設けられたピン２７ａに連結され、リンク２７の他端に設けられたピン２７ｂがスライダ１３の係合部１３ｋに係合している。
【００２８】
そのため、ディスクカートリッジがディスクホルダ１２に挿入される前は、プロテクタ２６が下側磁気ヘッド１６の側方に近接している。その際、プロテクタ２６はフレーム１４の平面１４ａ上に形成された傾斜部２８に乗り上げて下側磁気ヘッド１６より上方に持ち上げられる。よって、ディスクカートリッジ２９は、プロテクタ２６を摺接して下側磁気ヘッド１６の上方を移動して下側磁気ヘッド１６に衝突することが防止される。
【００２９】
そして、スライダ１３がＡ方向に摺動すると共に下側磁気ヘッド１６から離間する方向に摺動する。そのため、スライダ１３がＡ方向に摺動することによりプロテクタ２６がＤ方向に摺動して傾斜部２８より下方に降下すると共に下側磁気ヘッド１６に磁気ディスクを当接させる。
図９はラッチ機構の構成を説明するための分解斜視図である。
【００３０】
図１及び図９に示されるように、ディスクホルダ１２の上面後部には、スライダ１３を掛止するラッチ機構３６が設けられている。このラッチ機構３６は、ディスクホルダ１２の上面に回動自在に支承されたラッチレバー３８と、ラッチレバー３８を反時計方向に回動付勢するコイルスプリング３９と、スライダ１３の天板１３ａに設けられたカム部４６とより構成されている。
【００３１】
図１０（Ａ）〜（Ｅ）はラッチレバーの形状を説明するための平面図、側面図、背面図、拡大平面図、拡大側面図である。
図１０（Ａ）〜（Ｅ）に示されるように、ラッチレバー３８は、一端にディスクホルダ１２の上面後部の軸が挿通される軸孔３８ａと、他端に前述したディスクカートリッジ２９のシャッタ２９ｃを開く爪部３８ｂとを有する。また、ラッチレバー３８は、長手方向の中間にコイルスプリング３９の一端が掛止される掛止部３８ｃと、スライダ１３のカム部に摺接する摺接部３８ｄとを有する。尚、コイルスプリング３９の他端は、ディスクホルダ１２の天板１２ａに設けられた掛止部１２ｋに掛止されている。
【００３２】
また、摺接部３８ｄの上端には、スライダ１３の抜けを防止する掛止部３８ｅが折り曲げられている。そして、爪部３８ｂの上部には、爪部３８ｂがディスクホルダ１２内に挿入されるディスクカートリッジの挿入高さ位置に保持されるように回動高さ位置を規制する規制部３８ｆが設けられている。
また、図９に示されるように、ディスクホルダ１２の天板１２ａの後部には、上記ラッチレバー３８の軸孔３８ａに挿通されてラッチレバー３８をＥ，Ｆ方向に回動可能に支持する軸１２ｍと、組み付け時にラッチレバー３８の溝３８ｇに挿通されてその後ラッチレバー３８の上方への移動を規制する抜け防止部１２ｎが突出している。抜け防止部１２ｎは、ラッチレバー３８が軸１２ｍから外れないようにラッチレバー３８の上面の高さ位置を規制する突起１２ｎ１  が水平方向に突出している。さらに、ディスクホルダ１２の天板１２ａには、扇形状の開口１２ｏが設けられている。この開口１２ｏには、ラッチレバー３８の爪部３８ｂが挿通される。
【００３３】
さらに、ディスクホルダ１２の両側には、スライダ１３に係合する係合ピン１２ｅが一対ずつ設けられ、ディスクホルダ１２の両側中央にはガイド部１２ｆが突出している。このガイド部１２ｆは、フレーム１４の側壁１４ｅ，１４ｆに設けられたガイド溝１４ｇ，１４ｈに嵌合してディスクホルダ１２の昇降動作をガイドする。
【００３４】
また、ディスクホルダ１２の上面には、ディスクカートリッジ２９が挿入されていない非挿入状態のとき、ヘッドアーム２２をディスクカートリッジ２９に当接しない上昇位置に保持するヘッドアームリフト機構４１が設けられている。この、ヘッドアームリフト機構４１は、ヘッドアーム２２の下面に当接するリフトアーム４２と、非挿入状態のときリフトアーム４２を上方に押圧するリフタ４３と、リフトアーム４２を下方に押圧する押圧バネ４４とからなる。
【００３５】
また、リフトアーム４２は、ヘッドアーム２２の両側より突出する突出部２２ａの下面側に当接し、押圧バネ４４の両端部を軸として上下方向に回動可能に取り付けられている。そして、リフトアーム４２の下方には、スライダ１３の摺動動作によりＡ，Ｂ方向に摺動するリフタ４３が設けられている。そのため、ディスクカートリッジが非挿入状態のとき、リフタ４３はリフトアーム４２を上方に押圧しており、これによりヘッドアーム２２が上方に回動して上側磁気ヘッド１７をディスクホルダ１２の上方へ退避させる。
【００３６】
また、ディスクカートリッジがディスクホルダ１２内に挿入されてスライダ１３がＡ方向に摺動すると共に、リフタ４３もリフトアーム４２から離間する。これにより、リフトアーム４２は、リフタ４３による保持力が除去された状態でディスクホルダ１２が装着位置に降下する。そのため、ディスクカートリッジ内に収納された磁気ディスクは、ヘッドアーム２２が下方に回動すると共に、下側磁気ヘッド１６と上側磁気ヘッド１７との間で挟持されて磁気記録又は再生が行われる。
【００３７】
また、上記リフトアーム４２は、押圧バネ４４の両端がリフトアーム４２の切り起こし部４２ａを貫通してディスクホルダ１２の天板１２ａに起立された支持部１２ｈにより支持される。この支持部１２ｈがＥ，Ｆ方向に延在する向きに形成されているため、リフトアーム４２はキャリッジ移動方向（Ａ，Ｂ方向）と直交する上下方向に回動可能に取り付けられる。
【００３８】
また、スライダ１３の上方には、フレーム１４の上部を覆うように取り付けられるカバー４５が設けられている。このカバー４５は、フレーム１４に両側面をネジ止めされ、スライダ１３の上方への浮き上がりを防止し、更にスライダ１３の前後方向（Ａ，Ｂ方向）の移動をもガイドする。
図１１（Ａ）〜（Ｄ）はスライダ１３の構成を示す平面図、左側面図、右側面図、正面図である。
【００３９】
図１、図２、図３、図１１に示されるように、スライダ１３の平板１３ａには、前述したラッチレバー３８を掛止するためのカム部４６が設けられている。カム部４６は、ディスクカートリッジが挿入される過程でラッチレバー３８の摺接部３８ｄが回動方向に移動しながら摺接する円弧状部４７と、ディスクカートリッジの挿入が完了した時点で円弧状部４７を通過した摺接部３８ｄから離間方向に形成された逃げ部４８とを有する。
【００４０】
そして、スライダ１３の平板１３ａには、上記カム部４６を形成すると共に、摺接部３８ｄが挿通された状態で移動するための扇状の開口４９が設けられている。また、開口４９の外側には、ラッチレバー３８の先端に設けられ、ディスクカートリッジのシャッタに係合する爪部３８ｂの回動範囲に対向する円弧状の開口５０が設けられている。
【００４１】
さらに、スライダ１３の平板１３ａの後部には、Ｂ方向に延在する当接部５３が設けられている。この当接部５３は、スライダ１３がＡ，Ｂ方向に摺動する間フレーム１４の後部に設けられたモータ取付部１４ｄの上方に起立するガイド壁５２に当接し、スライダ１３の摺動動作をガイドすると共に、イジェクト操作時にスライダ１３が回動動作することを防止する。
【００４２】
図１２はディスクホルダ１２の天板１２ａにラッチレバー３８を取り付けた状態を示す斜視図である。また、図１３はラッチレバー３８の上方にスライダ１３を取り付けた状態を示す斜視図である。
図１２及び図１３に示されるように、ディスクカートリッジがディスクホルダ１２内に挿入されると、ラッチレバー３８がコイルバネ３９のバネ力に抗してＥ方向に回動する。その際、ディスクカートリッジ２９のシャッタ２９ｃがラッチレバー３８先端に設けられた爪部３８ｂに係合して開方向に摺動する。
【００４３】
次に上記のように構成された磁気ディスク装置１１のディスク装着動作について説明する。
図１４（Ａ）〜（Ｄ）はディスクカートリッジがイジェクトされた状態のディスクホルダ１２とスライダ１３との位置関係を示す平面図、左側面図、右側面図、正面図である。
【００４４】
図１４（Ａ）〜（Ｄ）に示されるように、スライダ１３の傾斜溝１３ｄには、ディスクホルダ１２の係合ピン１２ｅが嵌合しているため、スライダ１３の摺動動作により係合ピン１２ｅが傾斜溝１３ｄに沿って駆動される。そのため、スライダ１３がＢ方向に摺動すると、ディスクホルダ１２はカートリッジ挿入・イジェクト位置に上昇し、スライダ１３がＡ方向に摺動するとカートリッジ装着位置に降下する。
【００４５】
ディスクホルダ１２がカートリッジ挿入・イジェクト位置にあるときは、ディスクホルダ１２の嵌合孔１２ｇにスライダ１３の係合部１３ｆが嵌合される。
また、ディスクカートリッジ２９がディスクホルダ１２内に挿入されると共に、ラッチレバー３８の爪部３８ｂがディスクカートリッジ２９の前端に設けられた凹部２９ｆ（図７に示す）に進入し、ディスクカートリッジ２９のシャッタ２９ｂの側部に当接する。そして、ラッチレバー３８は、爪部３８ｂがディスクカートリッジ２９の前端に押圧されると共に、時計方向（Ｅ方向）に回動して、ディスクカートリッジ２９のシャッタ２９ｂをＣ方向（開方向）に摺動させる。
【００４６】
図１５はディスクカートリッジ２９がディスクホルダ１２に挿入される状態を示す底面図である。
図１５に示されるように、ディスクカートリッジ２９がディスクホルダ１２に挿入されると、上記のようにラッチレバー３８の爪部３８ｂがディスクカートリッジ２９のシャッタ２９ｂの側部に当接してシャッタ２９ｂをＣ方向（開方向）に摺動させるため、シャッタ２９ｂはディスクホルダ１２の天板１２ａに設けられたシャッタ減速部材１０の摺接部１０ｂに摺接する。
【００４７】
そのため、シャッタ２９ｂは、シャッタ減速部材１０の摺接部１０ｂに押圧されながらＣ方向（開方向）に摺動されることになり、摺接部１０ｂとの摩擦抵抗により開動作が減速される。よって、シャッタ２９ｂは、ラッチレバー３８の爪部３８ｂによる開動作と同一速度でＣ方向（開方向）に摺動する。
従って、例えばディスクカートリッジ２９が強い力で勢い良くディスクホルダ１２に挿入された場合でも、シャッタ２９ｂがラッチレバー３８の爪部３８ｂに摺接して減速される。そのため、シャッタ２９ｂが勢い良くラッチレバー３８の爪部３８ｂに衝突して開方向に摺動した後、その反動でシャッタ２９ｂが勢い良く閉じる方向に戻ってしまうことが防止され、シャッタ２９ｂがバネ力により加速されて閉じる方向に摺動して磁気ヘッド１６を挟んでしまうことを未然に防止できる。
【００４８】
図１６（Ａ）〜（Ｄ）はディスクカートリッジ２９が装着された状態のディスクホルダ１２とスライダ１３との位置関係を示す平面図、左側面図、右側面図、正面図である。また、図１７はディスクカートリッジ２９が装着されたときのディスクホルダ１２とスライダ１３の動作状態を示す斜視図である。尚、図１６（Ａ）〜（Ｄ）において、ディスクカートリッジ２９が省略されている。
【００４９】
さらに、ディスクカートリッジ２９がディスクホルダ１２に挿入されると、図１６（Ａ）〜（Ｄ）及び図１７に示されるように、ラッチレバー３８の摺接部３８ｄがスライダ１３の天板１３ａに設けられたカム部４６の円弧状部４７を摺接する。
そして、ディスクカートリッジ２９がディスクホルダ１２の奥部まで挿入されると、シャッタ２９ｂがラッチレバー３８の爪部３８ｂにより全開されると共に、ラッチレバー３８の摺接部３８ｄがカム部４６の円弧状部４７を通過してカム部４６の逃げ部４８に対向する。そのため、スライダ１３は、ラッチレバー３８により掛止が解除されるため、コイルバネ５１，５２のバネ力によりＡ方向に摺動する。
【００５０】
ディスクホルダ１２は、両側がフレーム１４の左右側面に対し、上下方向のみに移動可能に支持されているため、このようにスライダ１３がＡ方向に摺動すると、ディスクホルダ１２の係合ピン１２ｅがスライダ１３の傾斜溝１３ｄに沿って下方に駆動されてカートリッジ挿入・イジェクト位置からカートリッジ装着位置に降下する。
【００５１】
また、スライダ１３がＡ方向に摺動しはじめると、上記スライダ１３の係合部１３ｆがディスクホルダ１２の嵌合孔１２ｇから離脱してディスクホルダ１２の中央部分に対する支持を解除する。これにより、ディスクホルダ１２はカートリッジ装着位置へ降下可能となる。
また、イジェクト動作は、スライダ１３をＢ方向に摺動させると、ディスクホルダ１２が上記装着動作と逆の動作を行ってカートリッジ挿入・イジェクト位置に復帰する。これとともに、ラッチレバー３８がコイルバネ３９のバネ力によりＦ方向に回動しながらディスクカートリッジをＡ方向にイジェクトする。
【００５２】
このイジェクト動作によりディスクカートリッジ２９は、シャッタ２９ｂがディスクホルダ１２の天板１２ａに設けられたシャッタ減速部材１０の摺接部１０ｂに摺接する。
そのため、シャッタ２９ｂは、シャッタ減速部材１０の摺接部１０ｂに押圧されながらＤ方向（閉方向）に摺動されることになり、摺接部１０ｂとの摩擦抵抗により閉動作が減速される。よって、シャッタ２９ｂは、ラッチレバー３８の爪部３８ｂによる閉動作と同一速度でＤ方向（閉方向）に摺動する。そして、ディスクカートリッジ２９は、シャッタ２９ｂが閉じた後ディスクホルダ１２からイジェクトされる。
【００５３】
図１８はシャッタ減速部材１０の変形例の取付位置を示す斜視図である。また、図１９はシャッタ減速部材１０の変形例の取付状態を示す斜視図である。尚、図１８及び図１９において、上記実施例と同一部分には同一符号を付してその説明を省略する。
図１８及び図１９に示されるように、シャッタ減速部材１０の摺接部１０ｈはＢ方向へ直線的に延在形成されている。尚、摺接部１０ｈは、前述した実施例の摺接部１０ｂと同様にディスクホルダ１２の天板１２ａから離間するように角度βで傾斜しており、ディスクカートリッジ２９のシャッタ２９ｂに摺接するように形成されている。
【００５４】
ディスクカートリッジ２９のシャッタ２９ｂは、前述したようにディスクカートリッジ２９がディスクホルダ１２に挿入される過程でＣ方向に摺動する。その際、シャッタ減速部材１０の摺接部１０ｈがＢ方向に延在していても前述した実施例と同様にシャッタ２９ｂの開閉動作が減速される。よって、シャッタ２９ｂは、ラッチレバー３８の爪部３８ｂによる閉動作と同一速度でＤ方向（閉方向）に摺動する。そして、ディスクカートリッジ２９は、シャッタ２９ｂが閉じた後ディスクホルダ１２からイジェクトされる。
【００５５】
従って、例えばディスクカートリッジ２９が強い力で勢い良くディスクホルダ１２に挿入された場合でも、シャッタ２９ｂがラッチレバー３８の爪部３８ｂに摺接して減速される。そのため、シャッタ２９ｂが勢い良くラッチレバー３８の爪部３８ｂに衝突して開方向に摺動した後、その反動でシャッタ２９ｂが勢い良く閉じる方向に戻ってしまうことが防止され、シャッタ２９ｂがバネ力により加速されて閉じる方向に摺動して磁気ヘッド１６を挟んでしまうことを未然に防止できる。
【００５６】
尚、上記実施例では、磁気ディスク装置を例に挙げて説明したが、これに限らず、これ以外の例えば光ディスク装置あるいは光磁気ディスク装置あるいはメモリカード等のカード状の記録媒体が装着される記録再生装置等にも適用できるのは勿論である。
【００５７】
【発明の効果】
上述の如く、本発明によれば、ホルダにカートリッジのシャッタの開閉動作を減速させるように摺接する摺接部材を設けたため、カートリッジが勢い良くホルダ内に挿入された場合でもカートリッジのシャッタが摺接部材に摺接して摩擦抵抗を受けることになり、シャッタの開閉動作を減速してシャッタを確実に開閉動作させることができる。よって、例えばディスクカートリッジが強い力で挿入された場合、シャッタが勢い良くラッチレバーの係合爪に衝突して開方向に摺動した後、その反動でシャッタが勢い良く閉じる方向に戻ってしまうことがあるが、シャッタがシャッタが摺接部材に摺接して減速されるため、磁気ヘッドを挟んでしまうことを防止できる。
【図面の簡単な説明】
【図１】本発明になる記録媒体装着装置の一実施例が適用された磁気ディスク装置１１の概略構成を示す分解斜視図である。
【図２】カバー、スライダ、ホルダ、フレームを拡大して示す分解斜視図である。
【図３】スライダとホルダとを組み合わせた状態を示す図である。
【図４】シャッタ減速部材１０の構成を示す図である。
【図５】シャッタ減速部材１０が取り付けられるディスクホルダ１２の天板１２ａを示す斜視図である。
【図６】シャッタ減速部材１０がディスクホルダ１２の天板１２ａに取り付けられた状態を拡大して示す斜視図である。
【図７】ディスクカートリッジを示す斜視図である。
【図８】フレーム１４の構成を示す図である。
【図９】ラッチ機構の構成を説明するための分解斜視図である。
【図１０】ラッチレバーの形状を説明するための図である。
【図１１】スライダ１３の構成を示す図である。
【図１２】ディスクホルダ１２の天板１２ａにラッチレバー３８を取り付けた状態を示す斜視図である。
【図１３】ラッチレバー３８の上方にスライダ１３を取り付けた状態を示す斜視図である。
【図１４】ディスクカートリッジがイジェクトされた状態のディスクホルダ１２とスライダ１３との位置関係を示す図である。
【図１５】ディスクカートリッジ２９がディスクホルダ１２に挿入される状態を示す底面図である。
【図１６】ディスクカートリッジ２９が装着された状態のディスクホルダ１２とスライダ１３との位置関係を示す図である。
【図１７】ディスクカートリッジ２９が装着されたときのディスクホルダ１２とスライダ１３の動作状態を示す斜視図である。
【図１８】シャッタ減速部材１０の変形例の取付位置を示す斜視図である。
【図１９】シャッタ減速部材１０の変形例の取付状態を示す斜視図である。
【符号の説明】
１０  シャッタ減速部材
１０ａ  平板部
１０ｂ，１０ｈ  摺接部
１１  磁気ディスク装置
１２  ホルダ
１３  スライダ
１４  フレーム
１５  ターンテーブル
１６，１７  磁気ヘッド
１８  ヘッドキャリッジ
２４  リードスクリュウ
２５  駆動モータ
２９  ディスクカートリッジ
２９ｂ  シャッタ
３６  ラッチ機構
３８  ラッチレバー
３８ｂ  爪部
４６  カム部
４７  円弧状部
【図１】
0003603649.tif 000002
【図２】
0003603649.tif 000003
【図３】
0003603649.tif 000004
【図４】
0003603649.tif 000005
【図５】
0003603649.tif 000006
【図６】
0003603649.tif 000007
【図７】
0003603649.tif 000008
【図８】
0003603649.tif 000009
【図９】
0003603649.tif 000010
【図１０】
0003603649.tif 000011
【図１１】
0003603649.tif 000012
【図１２】
0003603649.tif 000013
【図１３】
0003603649.tif 000014
【図１４】
0003603649.tif 000015
【図１５】
0003603649.tif 000016
【図１６】
0003603649.tif 000017
【図１７】
0003603649.tif 000018
【図１８】
0003603649.tif 000019
【図１９】
0003603649.tif 000020